(57)【要約】      （修正有）【課題】使用時に、キャップがボトル本体部から離間することがないと共に、外したキャップの落下、紛失の惧れがなく、容易かつ迅速に必要に応じて使用することができる携帯用ボトルを提供する。【解決手段】ボトル本体部１１と、前記ボトル本体部に着脱可能なキャップ部１２とを備える携帯用ボトル１０であって、前記ボトル本体部の表面部に設けられた薄膜状の被覆部１３と、前記被覆部に一端部Ａが固定され、他端部Ｂには前記被覆部から突出して設けられた係止孔部１４に挿入固定可能な球形状部１５が設けられ、前記一端部と前記他端部との間には前記キャップ部に着脱可能な紐状のキャップ保持部１６が設けられた係止紐部１７と、を備える。【選択図】図１
0003235189.tif 000002
【実用新案登録請求の範囲】
【請求項１】
ボトル本体部と、前記ボトル本体部に着脱可能なキャップ部とを備える携帯用ボトルであって、
前記ボトル本体部の表面部に設けられた薄膜状の被覆部と、
前記被覆部に一端部が固定され、他端部には前記被覆部から突出して設けられた係止孔部に挿入固定可能な球形状部が設けられ、前記一端部と前記他端部との間には前記キャップ部に着脱可能な紐状のキャップ保持部が設けられた係止紐部と、
を備えることを特徴とする携帯用ボトル。
【請求項２】
前記係止紐部は、全体円環状の取り付け紐部と、前記取り付け紐部に着脱かつ移動可能に装着された前記キャップ保持部としての係止紐本体部とにより構成されていることを特徴とする請求項１記載の携帯用ボトル。
【請求項３】
前記係止紐本体部の先端部には、前記キャップ部に係止可能なリング部が設けられていることを特徴とする請求項２記載の携帯用ボトル。
【請求項４】
前記取り付け紐部は、長さ調整可能に形成されていることを特徴とする請求項２記載の携帯用ボトル。
【請求項５】
前記取り付け紐部の長さ寸法は、前記係止紐本体部の長さ寸法よりも長く形成されていることを特徴とする請求項２記載の携帯用ボトル。
【請求項６】
前記被覆部及び前記係止紐部は、全体シリコン製であり、伸縮可能に形成されていることを特徴とする請求項１記載の携帯用ボトル。
【考案の詳細な説明】
【技術分野】
【０００１】
本考案は、携帯用ボトルの改良に関する。
【背景技術】
【０００２】
新型コロナウイルス感染下において、手指の消毒が推奨されている。このような消毒は外出時においても随時できることが好ましい。そのために、消毒液を収納して持ち運べるようにしたスプレー式の携帯用ボトル（薬品収納小型携帯用ボトル）が販売され使用されている。
しかしながら、従来の携帯用ボトルにあっては、キャップ部を一方の手で取り外すと共に他方の手で携帯用ボトルを保持して使用した場合、キャップ部が邪魔になり容易に手指の消毒ができない場合や、消毒中に保持していたキャップ部が落下してしまい、キャップ部が汚れてしまう場合があった。また、このような事態を回避するために、取り外したキャップ部をいずれかの場所に置いて手指の消毒を行った場合には、キャップ部を紛失してしまう可能性もあった。
【０００３】
特許文献１には、「蓋付き容器に係止させる係止部と、係止部と連結部を介して一体となる蓋を置くための置き部を備え、置き部が、蓋の下端を支持する支持平面を備え、支持平面の少なくとも係止部から遠位側に立設された壁部とを備えてなる、蓋置き。」が記載されている。
【０００４】
特許文献１開示の考案にあっては、携帯用ボトルから取り外したキャップを蓋置上に一時的に載置しておくことができるが、なお、キャップそのものが携帯用ボトルとは完全に離間することから、なお紛失、落下の可能性は否定できない。
【先行技術文献】
【特許文献】
【０００５】
【特許文献１】実用新案登録第３２１８５８１号公報
【考案の概要】
【考案が解決しようとする課題】
【０００６】
そこで、本考案の課題は、ボトルの使用時に、キャップがボトル本体部から離間することがなく、外したキャップの落下、紛失の惧れがないと共に、容易かつ迅速に必要に応じて使用することができる携帯用ボトルを提供することにある。
【課題を解決するための手段】
【０００７】
上記課題達成のため、請求項１記載の考案にあっては、ボトル本体部と、前記ボトル本体部に着脱可能なキャップ部とを備える携帯用ボトルであって、前記ボトル本体部の表面部に設けられた薄膜状の被覆部と、前記被覆部に一端部が固定され、他端部には前記被覆部から突出して設けられた係止孔部に挿入固定可能な球形状部が設けられ、前記一端部と前記他端部との間には前記キャップ部に着脱可能な紐状のキャップ保持部が設けられた係止紐部と、を備えることを特徴とする。
従って、請求項１記載の携帯用ボトルにあっては、キャップ保持部を利用してキャップ部をボトル本体部から完全に離間することなく、係止紐部によりボトル本体部に保持した状態を維持することができる。
【０００８】
請求項２記載の考案にあっては、前記係止紐部は、全体円環状の取り付け紐部と、前記取り付け紐部に着脱かつ移動可能に装着された前記キャップ保持部としての係止紐本体部とにより構成されていることを特徴とする。
従って、請求項２記載の携帯用ボトルにあっては、係止紐本体部は取り付け紐部から取り外し可能である。
【０００９】
請求項３記載の考案にあっては、前記係止紐本体部の先端部には、前記キャップ部に係止可能なリング部が設けられていることを特徴とする。
従って、請求項３記載の携帯用ボトルにあっては、キャップ部が円筒形状である場合に、リング部でしっかりと固定することができる。
【００１０】
請求項４記載の考案にあっては、前記取り付け紐部は、長さ調整可能に形成されていることを特徴とする。
従って、請求項４記載の携帯用ボトルにあっては、取り付け紐部の長さを自在に調整することができる。
【００１１】
請求項５記載の考案にあっては、前記取り付け紐部の長さ寸法は、前記係止紐本体部の長さ寸法よりも長く形成されていることを特徴とする。
従って、請求項５記載の携帯用ボトルにあっては、取り付け紐部の長さ寸法を長く確保しつつ、係止紐本体部の長さ寸法を短く確保することができる。
【００１２】
請求項６記載の考案にあっては、前記被覆部及び前記係止紐部は、全体シリコン製であり、伸縮可能に形成されていることを特徴とする。
従って、請求項６記載の携帯用ボトルにあっては、シリコン製なので、ボトル本体部やキャップ部への着脱が容易である。
【考案の効果】
【００１３】
請求項１記載の考案にあっては、ボトル本体部と、前記ボトル本体部に着脱可能なキャップ部とを備える携帯用ボトルであって、前記ボトル本体部の表面部に設けられた薄膜状の被覆部と、前記被覆部に一端部が固定され、他端部には前記被覆部から突出して設けられた係止孔部に挿入固定可能な球形状部が設けられ、前記一端部と前記他端部との間には前記キャップ部に着脱可能な紐状のキャップ保持部が設けられた係止紐部と、を備えることを特徴とする。
従って、請求項１記載の携帯用ボトルにおいては、キャップ保持部を利用してキャップ部を、ボトル本体部から完全に離間することなく保持することができるため、携帯用ボトル使用時におけるキャップ部の紛失防止が可能である。
また、請求項１記載の携帯用ボトルにおいては、使用時に、キャップ部を取り外し、使用者の一方の手により保持して両手がふさがれてしまうことがなく、例えば、ボトル本体部に消毒用アルコールが収納されている場合には、片手でボトル本体部を保持して他方の手指の消毒作業を容易に行うことができる。さらに、請求項１記載の携帯用ボトルにおいては、キャップ保持部も係止紐部も紐であるため、省スペースでコンパクトなキャップ係止構造を実現することができる。
【００１４】
請求項２記載の考案にあっては、前記係止紐部は、全体円環状の取り付け紐部と、前記取り付け紐部に着脱かつ移動可能に装着された前記キャップ保持部としての係止紐本体部とにより構成されていることを特徴とする。
従って、請求項２記載の携帯用ボトルにおいては、係止紐本体部は取り付け紐部から取り外し可能であるため、使用後に、係止紐本体部を取り外した状態で洗浄可能である。また、請求項２記載の携帯用ボトルにおいては、被覆部の係止孔部から取り付け紐部を取り外し、バッグの持ち手等に取り付けることができる。
【００１５】
請求項３記載の考案にあっては、前記係止紐本体部の先端部には、前記キャップ部に係止可能なリング部が設けられていることを特徴とする。
従って、請求項３記載の携帯用ボトルにおいては、キャップ部が円筒形状である場合に、リング部でしっかりと固定することができ、取り付け紐部及びリング部は、薬品携帯用ボトルとして不使用の際には、タオル、ハンカチのホルダーとしても使用でき、単なる液体収納用の携帯用ボトルではなく多用途品として使用することができる。
【００１６】
請求項４記載の考案にあっては、前記取り付け紐部は、長さ調整可能に形成されていることを特徴とする。
従って、請求項４記載の携帯用ボトルにおいては、取り付け紐部の長さを自在に調整することができるため、バッグやカバン等の様々なものに取り付け紐部を取り付けて、携帯用ボトルが小型に形成されている場合には、バッグやカバン等のアクセサリーとして使用することもできる。
【００１７】
請求項５記載の考案にあっては、前記取り付け紐部の長さ寸法は、前記係止紐本体部の長さ寸法よりも長く形成されていることを特徴とする。
従って、請求項５記載の携帯用ボトルにあっては、取り付け紐部の長さ寸法を長く確保しつつ、係止紐本体部の長さ寸法を短く確保することができるため、長い取り付け紐部でバッグやカバン等の様々なものに取り付け可能としながら、短い係止紐本体部でコンパクトに、ボトル本体部から大きく離間することなくキャップ部を保持することができる。
【００１８】
請求項６記載の考案にあっては、前記被覆部及び前記係止紐部は、全体シリコン製であり、伸縮可能に形成されていることを特徴とする。
従って、請求項６記載の携帯用ボトルにあっては、シリコン製なので、ボトル本体部やキャップ部への着脱が容易であるため、使用時の把持感が柔らかいと共に、キャップ部の装着時に、リング部を含む係止紐部が伸縮するため、キャップ部を装着しやすいと共に、被覆部のボトル本体部への装着が容易となる。
【図面の簡単な説明】
【００１９】
【図１】本考案に係る携帯用ボトルの一実施の形態を示す斜視図であって、キャップ部を取り付けた状態の携帯用ボトルを正面側から見た斜視図である。
【図２】本考案に係る携帯用ボトルの一実施の形態を示す斜視図であって、キャップ部を取り外した状態の携帯用ボトルを裏面側から見た斜視図である。
【図３】本考案に係る携帯用ボトルの一実施の形態における各部品を分解した状態を示す図である。
【図４】本考案に係る携帯用ボトルの一実施の形態における使用状態を示す図である。
【考案を実施するための形態】
【００２０】
以下、本考案に係る一実施の形態について、図面を参照しながら説明する。なお、各図面においては、理解を容易にするために、部材の形状や寸法を誇張して図示したり一部の部材を省略したりして図示している箇所もある。
図１及び図２に示すように、本実施の形態に係る携帯用ボトル１０は、ボトル本体部１１と、ボトル本体部１１に着脱可能なキャップ部１２とを備え、ボトル本体部１１の表面部に設けられた薄膜状の被覆部１３と、被覆部１３に一端部Ａが固定され、他端部Ｂには被覆部１３から突出して設けられた係止孔部１４に挿入固定可能な球形状部１５が設けられ、一端部Ａと他端部Ｂとの間にはキャップ部１２に着脱可能な紐状のキャップ保持部１６が設けられた係止紐部１７とを備えている。
【００２１】
従って、本実施の形態に係る携帯用ボトル１０にあっては、図２に示すように、ボトル本体部１１からキャップ部１２を取り外しても、キャップ保持部１６を利用して、ボトル本体部１１から完全には離間させない状態でキャップ部１２を保持することができる。
【００２２】
本実施の形態に係る携帯用ボトル１０は、ボトル本体部１１にアルコール消毒液を充填することにより、薬品を収納した小型携帯用ボトルとして使用できるように構成されている。本実施の形態に係る携帯用ボトル１０を使用することにより、適宜搬送して、外出時の食事前、通勤中、トイレの後など、いつでも手軽かつ迅速に手指の除菌が可能となる。
【００２３】
図１及び図２に示すように、係止紐部１７は、全体円環状の取り付け紐部１８と、取り付け紐部１８に着脱かつ移動可能に装着されたキャップ保持部１６としての係止紐本体部１９とにより構成されている。従って、本実施の形態に係る携帯用ボトル１０にあっては、係止紐本体部１９は取り付け紐部１８から取り外し可能である。
【００２４】
係止紐本体部１９の先端部には、キャップ部１２に係止可能なリング部２０が設けられている。従って、本実施の形態に係る携帯用ボトル１０にあっては、キャップ部１２が円筒形状である場合に、リング部２０でしっかりと固定することができる。
【００２５】
取り付け紐部１８は、長さ調整可能に形成されている。取り付け紐部１８には全体で３つの球形状部１５、２１、２２が形成されており、取り付け紐部１８の長さは、取り付け紐部１８の先端に形成された１個目の球形状部１５を係止孔部１４に挿入固定するか、１個目の球形状部１５よりも後方に形成された２個目の球形状部２１を係止孔部１４に挿入固定するか、２個目の球形状部２１よりも後方に形成された３個目の球形状部２２を係止孔部１４に挿入固定するかによって調整可能である。
従って、本実施の形態に係る携帯用ボトル１０にあっては、取り付け紐部１８の長さを自在に調整することができる。
【００２６】
取り付け紐部１８の長さ寸法は、係止紐本体部１９の長さ寸法よりも長く形成されている。本実施の形態にあっては、取り付け紐部１８の紐状部分の長さ寸法は、約１４ｃｍ程度であり、係止紐本体部１９の紐状部分の長さ寸法は約６．５ｃｍ程度である。
【００２７】
被覆部１３及び係止紐部１７は、全体シリコン製であり、全体として伸縮可能に形成されている。従って、本実施の形態に係る携帯用ボトル１０にあっては、被覆部１３のボトル本体部１１への着脱や、キャップ部１２を係止紐本体部１９への着脱が容易である。
【００２８】
図３に示すように、本実施の形態に係る携帯用ボトル１０は、キャップ部１２と、ノズル部２３（ボトル本体部１１）と、容器部２４（ボトル本体部１１）と、取り付け紐部１８が取り付けられた被覆部１３と、係止紐本体部１９とに分解可能である。このように、本実施の形態に係る携帯用ボトル１０は、各部品を分離することができるので、洗浄しやすく、乾燥もさせやすく、清潔な状態を維持しやすく構成されている。
【００２９】
分離された各部品については、容器部２４にノズル部２３を取り付け、ノズル部２３の先端を被覆部１３の側面に形成された第１開口部２５を通過させ、ノズル部２３の先端を被覆部１３の上面に形成された第２開口部２６を通過させ、ボトル本体部１１を被覆部１３の内部に収納し、キャップ部１２をノズル部２３に取り付けることにより、分離された各部品が結合された元の状態に戻すことができる。
【００３０】
係止紐本体部１９の一方の先端部にはリング部２０が設けられており、他方の先端部にはリング部２０よりも系が小さい小型リング部２７が設けられている。そして、この小型リング部２７を取り付け紐部１８に通すことにより、取り付け紐部１８に、球形状部１５、２１、２２を介して係止紐本体部１９を装着固定させることができる。
【００３１】
次に、本実施の形態に係る携帯用ボトル１０をバッグ等に取り付けて携帯する際の使用方法について説明する。
図１に示すように、携帯用ボトル１０において、キャップ保持部１６のリング部２０をキャップ部１２に挿入固定した状態で、係止孔部１４に挿入固定されている球形状部１５を引っ張り、係止孔部１４から球形状部１５を抜き出す。さらに、図４に示すように、例えば、ハンドバッグ３０の持ち手３１の下端部に、取り付け紐部１８を巻き付け、係止孔部１４に球形状部１５を挿入してハンドバッグ３０に固定する。
【００３２】
これにより、ハンドバッグ３０の持ち手３１に、携帯用ボトル１０をぶら下げて保持、携帯することができる。なお、携帯用ボトル１０は、ハンドバッグ３０に限らず、リュックサックやカバン、ポーチ、ポシェットなどの様々なものに取り付け可能である。
このようにハンドバッグ３０に係止紐部１７を介して携帯用ボトル１０を固定して取り付けた場合には、ハンドバッグ３０のアクセサリーとしても使用することができる。
【００３３】
次に、例えば、携帯用ボトル１０に消毒液等を封入して手指の消毒に行う場合には、図２に示すように、キャップ部１２を取り外した状態で片手で保持し、ノズル部２３を操作することにより他方の手に対して消毒液の噴霧を行うことができる。この場合、キャップ部１２は係止紐本体部１９及び係止紐部１２を介してボトル本体部１１に保持されていることから、キャップ部１２を紛失してしまうことはない。
【００３４】
また、キャップ部１２は係止紐本体部１９及び係止紐部１２を介してボトル本体部１１に保持されていることから、他方の手でキャップ部１２を保持しておく必要はなく、他方の手の消毒を容易に行うことができる。
このように、本実施の形態に係る携帯用ボトルによれば、一方の手のみを使用することにより、容易かつ迅速に、キャップ部１２の保持、紛失に煩わされることなく、片手ずつ消毒することができる。
【００３５】
以上説明したように、本実施の形態に係る携帯用ボトル１０にあっては、キャップ保持部１６を利用してキャップ部１２を保持することができるため、キャップ部１２の紛失防止が可能である。
また、本実施の形態に係る携帯用ボトル１０においては、携帯用ボトル１０の使用時に、キャップ部１２を取り外し、他の手で保持する必要がなく、ボトル本体部１１にアルコールを充填している場合には消毒作業がしやすい。さらに、本実施の形態に係る携帯用ボトル１０においては、キャップ保持部１６も係止紐部１７も紐であるため、省スペースでコンパクトなキャップ係止構造を実現することができる。
【００３６】
また、本実施の形態に係る携帯用ボトル１０にあっては、係止紐本体部１９は取り付け紐部１８から取り外し可能であるため、使用後に、係止紐本体部１９を取り外した状態で洗浄可能である。また、本実施の形態に係る携帯用ボトル１０においては、被覆部１３の係止孔部１４から取り付け紐部１８を取り外し、バッグ３０の持ち手３１等に取り付け、アクセサリーとして使用することができる。
【００３７】
さらに、本実施の形態に係る携帯用ボトル１０にあっては、キャップ部１２が円筒形状である場合に、リング部２０でしっかりと固定することができ、取り付け紐部１８及びリング部２０は、薬品携帯用ボトルとして不使用の際には、タオル、ハンカチのホルダーとしても使用できる。
【００３８】
さらにまた、本実施の形態に係る携帯用ボトル１０にあっては、取り付け紐部１８の長さを自在に調整することができるため、バッグやカバン等の様々なものに取り付け紐部１８を取り付けることができる。
【００３９】
その上、本実施の形態に係る携帯用ボトル１０にあっては、取り付け紐部１８の長さ寸法を長く確保しつつ、係止紐本体部１９の長さ寸法を短く確保することができるため、長い取り付け紐部１８でバッグやカバン等の様々なものに取り付け可能としながら、短い係止紐本体部１９でコンパクトにキャップ部１２を保持することができる。
【００４０】
また、本実施の形態に係る携帯用ボトル１０にあっては、被覆部１３及び係止紐部１７がシリコン製であり、ボトル本体部１１やキャップ部１２への着脱が容易であるため、使用時の把持感が柔らかい。
【００４１】
上述した実施の形態にあっては、以下の変形が可能である。
（１）携帯用ボトル１０には、アルコール消毒液を充填する例で説明したが、その他の液体（例えば、飲料、次亜塩素酸水、虫除け用の液体等）を充填してもよい。また、消毒液ではなく、適宜、香水、デオドラント剤等を充填して使用してもよく、上記実施の形態の使用態様には限定されなし。
（２）球形状部は、１個又は２個形成してもよく、４個以上形成してもよい。
（３）取り付け紐部１８の長さ寸法は、係止紐本体部１９の長さ寸法よりも短く又は係止紐本体部１９の長さ寸法と同一に形成されていてもよい。
【産業上の利用可能性】
【００４２】
本考案は携帯用ボトルに係ることから、広く産業上の利用可能性を有している。
【符号の説明】
【００４３】
１０    携帯用ボトル
１１    ボトル本体部
１２    キャップ部
１３    被覆部
１４    係止孔部
１５    球形状部
１６    キャップ保持部
１７    係止紐部
１８    取り付け紐部
１９    係止紐本体部
２０    リング部
２１    球形状部
２２    球形状部
２３    ノズル部
２４    容器部
２５    第１開口部
２６    第２開口部
２７    小型リング部
３０    ハンドバッグ
３１    持ち手
Ａ    一端部
Ｂ    他端部
【図１】
0003235189.tif 000003
【図２】
0003235189.tif 000004
【図３】
0003235189.tif 000005
【図４】
0003235189.tif 000006